(57)【要約】  移動式の電子小型器具、特に移動電話機またはコードレス電話機に用いられる保護カバーであって、当該保護カバーが、バンド状の少なくとも１つの弾性的なループから成っており、該ループが、器具に装着された状態で少なくとも少なくとも器具の外周面を部分的に抱き締めている形式のものが記載される。本発明の特徴は、１つのループ（２）しか設けられておらず、該ループ（２）が高弾性的なチューブリングであり、ただし該チューブリングの材料、直径、高さおよび肉厚さは、器具に密着するように装着された状態でループによって器具の外周面がカバーされ、しかもループの端部側の縁部が、両器具端面（５）に向かって弾性的に内方へ引っ張られて、小幅の条片（６）の形でフレーム状に器具端面（５）に接触するように設定されていることである。
2005509353.tif 000002
【特許請求の範囲】
【請求項１】
移動式の電子小型器具、特に移動電話機またはコードレス電話機に用いられる保護カバーであって、当該保護カバーが、バンド状に延びる少なくとも１つのループから成っており、該ループが、器具に装着された状態で少なくとも部分的に器具の外面を取り囲んでいて、しかも少なくとも器具の外周面を抱き締めるように取り囲んでいる形式のものにおいて、１つのループ（２）しか設けられておらず、該ループ（２）が高弾性的なチューブリング（１０，１５，２０，２３，２８）であり、ただし該チューブリングの材料、直径、高さおよび肉厚さは、器具の外周面（４）がカバーされ、しかもループの、器具の外周面に密着するように装着された状態でループの端部側の縁部が、両器具端面（５）で器具の縁部に弾性的に内方へ被せられて、小幅の条片（６）の形でフレーム状に器具端面（５）に接触するように設定されていることを特徴とする、移動式の電子小型器具に用いられる保護カバー。
【請求項２】
ループが、合成ゴム、天然ゴム、シリコーン、熱可塑性ポリエチレン、エラストマ、ラテックス等のような少なくとも３００％だけ弾性的に伸長可能な材料から製作されていて、約０．４ｍｍ〜２．５ｍｍ、有利には約０．７ｍｍの材料厚さを有している、請求項１記載の保護カバー。
【請求項３】
リングループが、長尺のチューブ（９）の形で製造されて、該チューブ（９）からループリング（１０）が所要の幅で切断されている、請求項１記載の保護カバー。
【請求項４】
ループ（２）の外周面が、軸方向で互いに間隔を置いて配置された少なくとも２つの環状隆起部（１６）を有しており、両環状隆起部（１６）がループ外周面に配置されていると同時に互いに軸方向で間隔を置いて配置されており、両環状隆起部（１６）が、当該保護カバーの、前記器具に装着された状態で、器具端面縁部（１８）に沿って延びていて、ひいては該器具端面縁部（１８）から相応して離れる方向に突出している、請求項１記載の保護カバー。
【請求項５】
ループの端面端部がそれぞれ１つの環状隆起部（２２）を備えており、該環状隆起部（２２）が、当該保護カバーの当て付けられた状態でそれぞれ前記器具を端面側で小幅の隆起部フレームとしてカバーしており、端部側の隆起部（２２，２６）が、円形の、半円形の、または山形に折り曲げられた条片（１７，３２）として形成されており、ループバンドの当て付けられていない状態では該ループバンドの軸方向横断面が、ほぼ円弧形に形成されており、前記端部側の隆起部（２２，２６）が半径方向内側へ突入している、請求項３記載の保護カバー。
【請求項６】
前記端部側の隆起部（２６）にそれぞれ１つの長手方向中空室（２７）が設けられており、該長手方向中空室（２７）内に成形線材または紐が挿入されているか、または挿入可能である、請求項５記載の保護カバー。
【請求項７】
ループバンドまたはループリングが軸方向で、ジグザグ形、波形またはメアンダ形の少なくなくとも１つの伸縮折り目（２１，３１）を有しており、複数の伸縮折り目が、アコーデオンに似たベローズ（２１）を形成するように均一な配置形式で設けられていてよい、請求項１記載の保護カバー。
【請求項８】
中心対称的に少なくとも１つの薄い伸縮ゾーン（２５）が設けられており、該伸縮ゾーン（２５）が、有利にはループ内周壁に設けられた相応する切欠きにより加工成形されている、請求項１記載の保護カバー。
【請求項９】
ループの製造時に押出し成形により長尺製品としてプロファイルバンド（１１，２０，２３，２８）が形成され、該長尺製品から器具周長に相当するバンド長さが分断され、それぞれこうして分断されたバンド片が、その両端部の合口部を介して突き合わせ式またはオーバラップ式に接着、縫合、少なくとも１つのスナップファスナ（１３）、面ファスナエレメント、フックおよびアイレット、磁石等により、１つのリングループを形成するように閉鎖されるか、または閉鎖可能である、請求項１から８までのいずれか１項記載の保護カバー。
【請求項１０】
バンドに接続部、アンテナ等のための複数の貫通孔（７）が設けられているか、または規則的な間隔を置いて長手方向中央の複数の貫通孔（７′）が設けられており、該貫通孔が、チューブまたはプロファイルバンドの分断時または逐次ステップにおいて加工成形可能である、請求項１から９までのいずれか１項記載の保護カバー。
【請求項１１】
ループ周面に少なくとも２つの貫通孔（７）が軸方向で隣接して設けられていて、その間に位置するウェブが、フック、カラビナ等のような固定装置のための掛込みエレメントとして働くようになっており、前記ウェブが内側に、裂断防止のための補強部を備えていてよい、請求項１から１０までのいずれか１項記載の保護カバー。
【請求項１２】
ループが少なくとも部分的に面ファスナ材料から成っているか、または毛羽状の面ファスナ部分としてフロック加工されている、請求項１記載の保護カバー。
【請求項１３】
ループの外周面に、有利には器具に被せ嵌められた状態で上側の周壁をカバーしているゾーンで、面ファスナ材料（３５）が外方へ向けられて設けられており、該面ファスナ材料が有利には毛羽状の軟らかい面ファスナ部分であり、たとえば保持装置（３７）の水平方向の壁（３９）に、フックを備えた対応する面ファスナ部分（３６）が固定されている、請求項１２記載の保護カバー。
【請求項１４】
前記面ファスナ部分（３５，３６）の代わりに、当該保護カバーおよび保持装置に磁石が設けられている、請求項１３記載の保護カバー。
【請求項１５】
カバーループの、裏面として働く側に、それぞれ互いに向かい合って位置するフレーム縁部（６）を結合させる少なくとも１つの背面バンド（４１，４２）が設けられており、複数の背面バンド、たとえば１つの長手方向背面バンド（４２）と２つの横方向背面バンド（４１）とが、格子状に繋がり合って設けられていてよい、請求項１記載の保護カバー。
【請求項１６】
カバーループの、裏面として働く側に背面壁（４４）が設けられており、該背面壁（４４）が全体的にカバーループよりも小さな肉厚さを有していてよく、これによりカバーループよりも弾性的に形成されている、請求項１記載の保護カバー。
【請求項１７】
前記背面壁に少なくとも１つの開口（４５）が設けられている、請求項１６記載の保護カバー。
【請求項１８】
ループリングの端面で環状隆起部に、半径方向内側に向けられて少なくとも２つの円弧形または三角形のニップル状突起（４７，４８）が設けられており、該ニップル状突起が、端面隆起部（１６）とほぼ同じ肉厚さを有しており、前記隆起部もしくはニップル状突起が、器具（３）に被せ嵌められた状態でディスプレイ（５０）のゾーンに対称的に配置されるように配置されている、請求項１から５までのいずれか１項記載の保護カバー。
【請求項１９】
３つのニップル状突起が設けられており、１つのニップル状突起がディスプレイ上方の真ん中に配置されており、ディスプレイの各側部にそれぞれ１つのニップル状突起が配置されている、請求項１８記載の保護カバー。
【発明の詳細な説明】
【技術分野】
【０００１】
本発明は、特に移動電話機またはコードレス電話機、あるいはまたラジオ制御器具およびテレビ制御器具のために適している、請求項１の上位概念部に記載の形式の可搬式もしくは移動式の電子小型器具に用いられる保護カバー（Schutzhuelle）に関する。
【０００２】
打撃防止もしくは衝突防止ならびに傷付け防止のための保護カバーとしては、これまで移動電話機／携帯電話機では「携帯電話ポケット」が使用されている。携帯電話機等の器具はこの「携帯電話ポケット」内に挿入される。しかし、このような携帯電話ポケットは一般に比較的高価である。なぜならば、製造に手間がかかるからである。さらに、このような携帯電話ポケットは電話機全体を覆い隠してしまうので操作性を制限してしまう。また、たとえばズボンやスカートの狭いポケットに携帯電話機をしまい込みたい場合に、このような携帯電話機は比較的邪魔となる。また、このような携帯電話ポケットは十分な滑り防止作用を有していない。
【０００３】
ドイツ連邦共和国実用新案第２０００５０８６号明細書に基づき公知の、移動通信電話機のための保護カバーは、全体が弾性的な材料、たとえば天然ゴムから成っている。この公知の保護カバーは上下のキャップ状の範囲を介して器具を両側で取り囲んで把持する。この場合、キャップ部分は側方の２つの長手方向エレメントを介して互いに結合されている。キャップ部分が比較的高く形成されているので、これらのキャップ部分はマイクロフォンやキーボタンのような機能的に重要な部分を一緒に覆い隠してしまう恐れがある。これにより、機能性および操作性は著しく妨げられている。また、この公知の保護カバーの製造も比較的手間がかかり、たとえば比較的高価な工具を用いる射出成形により製造されなければならない。
【０００４】
また、ドイツ連邦共和国特許出願公開第１００６５５０６号明細書およびドイツ連邦共和国実用新案第２９９２２９６３号明細書ならびにドイツ連邦共和国実用新案第２０００４６３０号明細書に基づき公知の、移動電話機のための保護被覆体では、少なくとも２つの小幅のバンド状のループが設けられている。これらのループは互いに交差されて延びており、この場合、１つのループが器具の外周面を抱き締めるように取り囲み、少なくとも１つの別のループは第１のループに対して直角にかつそれと同時に横方向で器具に巻き締められている。これらのループは一般に器具よりも小幅に設計されているので、縁部保護自体は存在していない。器具の取扱いを損なわないようにするためには、特に器具の表側における横方向のループバンドの正確な延在も、器具タイプに調和されなければならない。また、この公知の保護被覆体の製造も、特に横方向の延びるループバンドに基づき極めて手間がかかり、ひいては比較的高価となる。
【０００５】
さらに、欧州特許第０５０８０３３号明細書、オーストリア国実用新案第００３７０１号明細書およびフランス国特許出願公開第２７７２２２３号明細書に基づき公知の保護カバーは、中空の平行六面体として形成されている。これらの保護カバーは、器具を嵌め込んだり、キーボタンを操作したりするための、あるいはディスプレイを覗き込むための覗き開口として働く、端面側の少なくとも１つの方形の開口を備えている。方形の形に製作された保護カバーの内法高さおよび保護カバーの、器具端面で極めて大きく内方へ引き込まれた開口縁部の寸法は、製作の時点から予め規定されている。比較的大きな器具を保護カバー内に導入することは極めて困難となることは別として、このような保護カバーは異なるサイズの器具においてもはや正確に器具に装着されなくなる。この場合、比較的小さな器具の場合には、キーフィールドやディスプレイが十分に露出されないので、キーフィールドやディスプレイを直接に操作することができなくなるか、または器具が保護カバーによって十分にしっかりと取り囲まれなくなる危険が生じる。
【０００６】
したがって、本発明の課題は、冒頭で述べた形式の保護カバーを改良して、構造、取扱いおよび製造の点で簡単であると同時に、良好な保護および特に良好な滑り防止を確保するような保護カバーを提供することである。
【０００７】
この課題は、本発明によれば請求項１の特徴部に記載の特徴を有する保護カバーにより解決される。請求項２以下には、本発明による保護カバーの有利な構成が記載されている。
【０００８】
本発明による保護カバーは１つの円形または楕円形のループからしか成っていない。このループは器具に被せ嵌められた状態で器具の外周面を抱き締めており、この場合、外周面は覆われており、さらに縁部も器具の両端面に対して十分な幅にわたって取り囲まれて、ループの、弾性的に内側に引き込まれた縁部によって、器具端面をフレーム状に覆う小幅の条片が形成されている。したがって、ループは器具の厚さ／高さよりも大きな有効幅を有しているので、このループは器具に被せ嵌められた状態では器具の側面を覆い、そしてループの、器具壁を超えて突出した側縁部は、ループバンドが器具に被せ嵌められた後にループバンドに生ぜしめられる応力により自動的に折れ曲がるので、この側縁部は器具の端面を相応して小幅にカバーするようになる。したがって、器具の裏側および表側は、伸長応力下にあるバンドの比較的小幅の縁部を介してフレーム状にカバーされている。ところで、器具が裏面または表面を下にしてベースに載置された場合、器具はこのハウジング面、キーボタンまたはそれどころかディスプレイが直接に接触するように載置されるのではなく、ループフレームを介して面状の支持が行われる。しかし、当該保護カバーは、弾性的で、しかも高い滑り抵抗を有する材料から成っているので、この場合には次のような利点が与えられている。すなわち、本発明による保護カバーを備えた器具は傾斜した平面および／または平滑な平面に載置されても滑り落ちなくなり、ひいては器具の安全性に対する著しい寄与が得られる。
【０００９】
前記ループが、合成ゴム、天然ゴム、シリコーン、熱可塑性ポリエチレン、エラストマ、ラテックス等のような少なくとも３００％だけ弾性的に伸長可能な材料から製作されていて、約０．４ｍｍ〜２．５ｍｍ、有利には約０．７ｍｍの材料厚さを有していると、広範囲に使用可能な保護カバーが得られる。これにより、種々異なるサイズの携行器具のために１つの保護カバーを最適に使用することができる。さらに、有利には僅か０．７ｍｍに過ぎないループの小さな肉厚さに基づき、使用者は購入後に、販売時の包装内に付属品として同封可能な単純な打抜き工具を使用して自ら、たとえばコネクタ、アンテナ等のために必要となる所要の孔または装飾孔をチューブリングに導入することができるようになる。
【００１０】
保護カバーが、弾性的なチューブリングであるループの形に製作されていると、保護カバーが特に簡単でかつ廉価に製造可能となるという利点が得られる。なぜならば、このような構成の保護カバーは極めて経済的に製造され得るからである。この場合、相応する直径および相応する肉厚さのチューブが、自体公知の形式で、たとえば押出し成形により製造され、その後にこのチューブから個々のループリングが切断される。それどころか、比較的小型の携帯電話機の場合には、たとえば自転車チューブまたは原動機付き自転車チューブから特定の長さもしくは幅のリングを切断し、このリングを簡単に携帯電話機に被せることも考えられる。
【００１１】
カバーループの、裏面として働く側に少なくとも１つの横方向背面バンドおよび／または少なくとも１つの長手方向背面バンドが設けられていて、該背面バンドが、カバーループの被せ嵌められた状態で器具後壁に、軽度に張設（テンション付与）されて接触するようになっていると、たとえ少しだけ高価であっても特に安全でかつ耐滑り性の構成が得られる。この場合、背面バンドはループとほぼ同じ材料厚さを有しているか、または有利にはループよりも薄く設定されていてもよく、これにより、ループを裏側で過度に強力に張設したり、フレーム縁部において過度に内方へ引っ張ってしまうことなしに確実な保持が与えられている。たとえば少なくとも１つの長手方向背面バンドと２つの横方向背面バンドとが設けられていると、これらの背面バンドは一種の背面格子または背面ネットを形成する。このような背面バンドは全体的に器具におけるカバーの良好な保持および器具裏面に対する良好で確実な載着を生ぜしめる。
【００１２】
また、カバーループの裏面として働く側に、カバーループを少なくとも部分的に閉鎖する背面壁が設けられていても、やはり極めて有利になり得る。これにより、保護カバーは全体的にキャップの形状を有している。この場合、背面壁はループ壁よりも小さな肉厚さを有していてよく、これによりループ壁よりも弾性的に形成されていてよい。これにより、器具に対する保護カバーの被せ嵌めが容易となる。その場合、背面壁に少なくとも１つ、有利には複数の、円形、楕円形または多角形の開口が設けられていると、背面壁の弾性率はさらに著しく増大する。
【００１３】
少しだけ厚めのループ壁の場合にも特に良好な弾性率を得るためには、周方向中央でループに、たとえば円形または楕円形の孔の形の複数の貫通孔が設けられていると有利である。これによりループの伸縮可能性が著しく高められ得ることは別として、それと同時に特に美的な作用も得られる。また、たとえばアンテナを貫通案内させたり、あるいは接続エレメントを露出させるために働く開口も同じく存在している。
【００１４】
その他の場所では平滑な円筒状のループの外周面が互いに軸方向で間隔を置いて配置された少なくとも２つの環状隆起部を有していることにより、視覚的に関心を引くと同時に保護カバーによる衝突防止性をも向上させる別の構成を達成することができる。少なくともストライプ状に存在する材料隆起部に基づき、衝撃を良好に受け止めることができる。その場合、前記環状隆起部の少なくとも２つが、保護カバーの、器具に被せ嵌められた状態で器具端面縁部に沿って延びると同時に該器具端面縁部から突出するように前記環状隆起部が互いに間隔を置いて配置されていると、最適の縁部保護が得られる。そしてまた、カバーフレームを介して器具を、相応するベースに載置させることも、一層安全にかつある程度はばね弾性的に支承されて行われるようになる。
【００１５】
当然ながら、前で説明したようなチューブリングを使用して、このチューブリングの周面に、たとえば半円形の横断面を備えた紐の形の隆起部を接着することによっても、環状隆起部を備えたループを製造することができる。しかし、このような製造方法は比較的手間がかかる。したがって、本発明によれば、このようなプロファイルループがバンドの形で、たとえば自体公知の押出し成形法で長尺製品（Meterware）として製造されると特に有利である。その後に、押出し成形されたプロファイルバンドから、器具周長に相当するバンド長さが切断され、その後に、このバンド片が、その両端部の合口部を介して、たとえば突き合わせ式またはオーバラップ式に接着、縫合、少なくとも１つのスナップファスナ、面ファスナエレメント、フックおよびアイレット、磁石等により、１つのリングループを形成するように閉鎖されるか、もしくはこれらのエレメントを介して相応して閉鎖可能である。この場合、考えられ得る全ての結合システムを考慮することができる。この場合、それぞれバンド材料が比較的弾性的であり、しかも視覚的印象も満足され得るものでなければならないことが前提とされなければならない。
【００１６】
特別の構成では、プロファイルバンドから製造されたループの端面端部が各１つの環状隆起部を備えていてよい。この環状隆起部は保護カバーの当て付けられた状態において、それぞれ器具を端面側で小幅の隆起フレームとしてカバーする。この端部側の環状隆起部により、端面側の載置フレームもより厚くなり、かつ丸められた形状に基づき視覚的にも特に抵抗能力があるように見えることは別として、このような材料厚肉化により、このフレーム範囲における弾性率が少しだけ減じられるので、器具に被さった状態での良好な結束が存在している。その場合さらに、押出し成形時にプロファイルが全体的に、半径方向内側に向けられた端部を備えた円弧の形に設計されると、プロファイルループは既に製造時点からある程度のプレロードもしくは予荷重を得る。このプレロードもしくは予荷重は器具外周面に対するスナップオン式の最適な接触を可能にすると同時に、器具の各端面にぴたりと被さるような接触を可能にする。プロファイルループの、当て付けられた状態で器具の端面に被せられた前記端部ストリップは、半円形または円形の隆起部として、あるいは折り曲げられた条片として形成されていてよい。この場合、隆起部形状には、その長手方向で空洞もしくは中空室を一緒に組み込むことができる。この中空室内には成形線材が挿入されるか、または挿入可能となる。中空室自体は隆起部の緩衝作用を向上させ、中空室内に挿入された成形線材は隆起部の延在形状を決定するために働く。
【００１７】
さらに、保護カバーループが横方向で、高められた弾性もしくは伸縮性を有していると有利である。これにより、種々異なる厚さの器具においても、十分に確実にかつ広幅に器具端面に被さることができる。このためには、ループのプロファイルバンドに横方向で、たとえばジグザグ形、波形またはメアンダ形の少なくなくとも１つの伸縮折り目が有効に施与されているか、または少しだけ厚めのループ壁の場合には、周方向真ん中の比較的薄い少なくとも１つの伸長継ぎ手が導入されている。すなわち、複数の波形またはジグザグ形の伸縮折り目が均一な配置形式で設けられていると特に有効となる。これにより、保護カバーは全体的に、アコーデオンに似たベローズであるかのような印象を与える。
【００１８】
本発明によれば、保護カバーループが、合成ゴム、天然ゴム、エラストマ、熱可塑性ポリエチレン、天然ラテックスまたはシリコーンのような弾性的に伸縮可能な材料から製作されている。これらの材料は、対応するプロファイル形状付与と協働して、保護カバーの高い形状自在性を確保するので、１つのカバーサイズが複数の器具タイプおよび器具サイズのために有効に使用可能となる。当然ながら、種々異なる材料選択や可能となる材料着色によって種々の視覚的効果を得ることができる。この場合、透明なシリコーンゴムを使用することが特に有利である。透明なシリコーンゴムには、相応して印刷を施すこともできるので、たとえば特定の銘またはモチーフをバンドの内周面に施与することができる。これらの銘またはモチーフは外部から極めて良好に覗き込み可能であり、しかも使用中に破壊される恐れもない。また、この場合には、保護カバーの下に小さな対象物または小さな写真等を極めて簡単に押し込むことも可能となり、その場合、この写真等は常時見えるようになる。
【００１９】
ループバンドのプロファイル形状が少なくとも所定の区分において厚肉に設計されていて、伸縮性が減じられている場合、この厚肉な材料区分に所要数の長手方向孔が加工成形されているか、またはそれどころか横断面がハニカム状あるいはまた一種のフォームラバーの形に設計されていると有利である。これにより、バンドの弾性率を著しく高めることができると同時に、最適のショックアブソーバ特性が得られる。
【００２０】
既に前で述べたように、延在するバンドに複数の貫通孔が設けられていてよい。その場合、これらの貫通孔のうちの少なくとも２つが軸方向で隣接して設けられて、その間に位置するウェブが固定装置、たとえばフック、カラビナまたはリングのための掛込みエレメントとして働くようになっていると、これらの固定装置を介して器具を必要に応じて、たとえば飾り紐、ベルト等に取り付けることが可能となる。このウェブの裂断を回避するためには、さらにウェブの内側に補強部が施与されると有利である。この補強部は、たとえば強固なプラスチックまたは金属から成る横方向条片を内周面に接着することにより得られる。
【００２１】
本発明のさらに別の構成では、保護カバーが少なくとも部分的に面ファスナ材料から成っていてよい。この場合、バンド全体をパイル状もしくは毛羽状（flauschig）の面ファスナ材料から、毛羽状の側が外側を向くように製造することが考えられる。その場合、一方の端部では付加的に少なくとも小さな面ファスナ部分片が内方へ向くように取り付けられているので、面ファスナバンドを周長に適合させて種々の程度で重ね合わせることができる。面ファスナ材料ループにはさらに次のような利点がある。すなわち、この面ファスナ材料ループを介して器具が同時に保持装置にも固定可能となる。その場合、この保持装置も面ファスナ部分を備えている。この場合、たとえばループバンドは全体的に弾性材料から製作されていてもよく、そしてたとえば上側の周壁にのみ一片の面ファスナ部分、有利には毛羽状の面ファスナ部分を備えていてよい。それに対して、たとえば保持装置は水平方向に向けられた壁を有していてよく、そしてこの壁の、下方へ向けられた面に、第２の面ファスナ部分が設けられている。これにより、器具はその保護カバーを介して前記保持装置を介して迅速かつ簡単に壁に懸吊固定され得る。
【００２２】
しかし、面ファスナ材料の代わりに磁石エレメントを使用することによっても、同様の固定方式を得ることができる。すなわち、保護カバーの上側の周壁に磁石部分、たとえば強磁性のプレートまたは条片が設けられていると有利である。このプレートまたは条片は壁内側に配置されていてよい。その場合、当然ながら、器具を支持するべき保持装置の壁には、対応して強力な磁石が設けられていなければならない。しかし、相応するプレート形の磁石を、たとえばテーブルプレートの下に固定することも考えられ得る。これにより、携帯電話機は仕事中でも、テーブル表面上に散乱して邪魔となることなしに、いつでも手の届く状態にある。
【００２３】
さらに、ループリングの、環状隆起部を備えた端面に半径方向内側に向けられて少なくとも２つの円弧形または三角形のニップル状（乳首状）の突起、つまりニップル状突起が設けられていると有利である。これらのニップル状突起は端面隆起部とほぼ同じ肉厚さを有している。これにより、ニップル状突起が設けられているゾーンは一層非弾性的となるので、保護カバーの、器具に装着された伸長された状態では、それぞれ環状隆起部に端面側で突出したは膨隆部が生ぜしめられる。この膨隆部は付加的な保護を提供する。複数のニップル状突起が互いに均一な間隔を置いて環状隆起部に設けられていてよい。しかし、単に３つのニップル状突起が器具のディスプレイを取り囲むように配置されていてもよい。その場合、たとえば中央上部に１つのニップル状突起が配置され、そしてディスプレイの側方にそれぞれ１つのニップル状突起が配置され、これにより、ディスプレイは特別な保護を受ける。
【００２４】
以下に、本発明の複数の実施例を図面につき詳しく説明する。
【００２５】
図１は、器具と、この器具を取り囲むように被せられた保護カバーとを示す斜視図であり、
図２は、複数の貫通孔を備えたチューブリング構造のループの形の保護カバーを単独で示す斜視図であり、
図３は、図２に示したループを製作するための半製品としてのチューブ部分を断面して示す斜視図であり、
図４は、閉鎖装置を備えたプロファイルバンドから成る保護カバーを示す斜視図であり、
図５は、複数の長手方向隆起部を備えたプロファイルバンドの横断面を示す部分的な斜視図であり、
図６は、図５に示したプロファイルバンドを、ループの形で器具にスナップオン式に被せられた状態で示す断面図であり、
図７は、端部隆起部を備えたベローズ構造のプロファイルバンドの横断面を示す部分的な斜視図であり、
図８は、図７に示したプロファイルバンドを、ループの形で器具にスナップオン式に被せられた状態で示す断面図であり、
図９は、真ん中の伸縮ゾーンと半円形の端部隆起部とを備えた構造のプロファイルバンドを示す横断面図であり、
図１０は、図９に示したプロファイルバンドを、ループの形で器具にスナップオン式に被せられた状態で示す断面図であり、
図１１は、２つの伸縮折り目と、内方に向けられた接触条片とを備えた構造のプロファイルバンドを示す横断面図であり、
図１２は、図１１に示したプロファイルバンドを、ループの形で器具にスナップオン式に被せられた状態で示す断面図であり、
図１３は、保持装置における面ファスナ固定部を備えた保護カバーを備えた器具を示す部分的な斜視図であり、
図１４は、背面バンドを備えた構造の保護カバーを示す斜視図であり、
図１５は、背面壁を備えた保護カバーが器具に被せ嵌められた状態を示す縦断面図であり、
図１６は、背面壁に複数の開口を有する、図１５に示した保護カバーを示す斜視図であり、
図１７は、ニップル状突起を備えたリングループの形の保護カバーを示す正面図であり、
図１８は、図１７に示した保護カバーをＸＶＩＩＩ−ＸＶＩＩＩ線に沿って断面した軸方向の断面図であり、
図１９は、三角形のニップル状突起を有する、図１７のＸＩＸ部分の拡大図であり、
図２０は、円弧状のニップル状突起を有する、図１９と同様の拡大図であり、
図２１は、図１９と同様の三角形のニップル状突起を有する部分を、保護カバーが緊張させられた状態で示す図であり、
図２２は、器具ディスプレイに隣接した３つのニップル状突起を備えた保護カバーを、器具に被せ嵌められた状態で示す斜視図である。
【００２６】
図１から判るように、本発明による保護カバー１は、主としてループ２から成っている。このループ２は通信器具または制御器具３、つまりこの実施例では携帯電話機を全周にわたって取り囲んでいる。ループバンドの幅は、このループバンドが器具の周壁を完全にカバーし、さらに器具の端面壁５にも一種の小幅のフレーム６の形で被さるように設定されている。保護カバー１の下側の周面には、器具の接続エレメント８を露出させて外部からの接続を直接に可能にするための貫通孔７が設けられている。
【００２７】
図２に図示した実施例では、保護カバー１のループ２が、閉じたバンドリングの形に形成されており、この場合、１つの側の面には接続エレメント用の貫通孔７が設けられており、その他の周面全体には、不均一な間隔を置いて配列された複数の円形の貫通孔８が設けられている。これらの貫通孔はループバンドの弾性率を増大させるために役立つ。
【００２８】
図３から判るように、このループ２は押出し成形されたチューブ９から個々のループリング１０の切断もしくは分断によって製作されている。
【００２９】
図４に示した保護カバーの実施例では、ループ２が、ほぼＵ字形の横断面を有するプロファイルバンド（異形成形バンド）１１から形成されている。図面から判るように、たとえば押出し成形により製造されるこのプロファイルバンド１１は、所定の長さに分断された後に、合口部で突き合わされて接合され、そして一方では第１のプロファイルバンド端部にたとえば接着により固定された結合片１２を介して、他方では第２のプロファイルバンド端部を通って貫通案内されたスナップファスナ１３を介して結束される。第２のプロファイルバンド端部には複数の孔１４が設けられているので、プロファイルバンドを結合片とスナップファスナとによって種々のきつさで引き締めることが可能となる。
【００３０】
図５に示した別のプロファイルバンド１５では、このプロファイルバンドが、負荷軽減された状態でほぼ円弧状の構成を有していることが判る。この場合、外壁には長手方向隆起部１６が設けられている。図５から判るように、両外側の長手方向隆起部１６に続いて、内方に向けられたそれぞれ１つの端部条片１７が設けられている。
【００３１】
図６には、図５に示したプロファイルバンド１５がループとして器具３を抱き締めるように取り囲んでいて、このときに最初の負荷軽減された円弧形状から、長手方向および横方向に伸長されたＵ字形の形状にもたらされている様子が示されている。長手方向隆起部１６は、外側の２つの長手方向隆起部１６が器具３の端面縁部１８の真上に被さって、これらの端面縁部１８のための特別な打撃ガードを成すと同時に、改善された載置時緩衝作用をもたらすように形成されかつ配置されている。また、プロファイルバンドに設けられた端部条片１７も、器具３の端面にフラットに接触していて、図１から判るように、相応するフレーム６を形成している。
【００３２】
図７に示したプロファイルバンド２０は、ほぼジグザグ状のベローズ２１の形を有していて、バンド縁部に各１つの端部隆起部２２を備えている。
【００３３】
図８には、ベローズ２１が器具３の外周壁にスナップオン式に被せられており、そして端部隆起部２２が器具３の端面を取り囲んでいる様子が示されている。
【００３４】
図９に示したプロファイルバンド２３は、ほぼ半円形の形状を有している。この半円形のプロファイルバンド２３の壁２４は真ん中に薄い伸縮ゾーン２５を有している。バンド端部もしくはバンド側部には、半円形の横断面を有する長手方向隆起部２６が設けられている。これらの長手方向隆起部２６には、それぞれ１つの長手方向中空室２７が延びており、この長手方向中空室２７内には、成形線材あるいはまた紐（Kordel）が挿入可能である。壁２４には、複数の別の開口２７が設けられていてよい。
【００３５】
図１０には、図９に示したプロファイルバンド２３が、器具３にループ状に被せ嵌められた状態でフラットに伸長されている様子が示されている。この場合、端部側の長手方向隆起部２６は器具３の端面を取り囲んで把持すると同時に、緩衝器としても働くことができる。
【００３６】
図１１に示したプロファイルバンド２８は負荷軽減された状態で、同じくほぼ半円形に形成されている。この場合、互いに向かい合って位置する２つの厚肉な壁部分２９が設けられている。両壁部分２９の間には、両壁部分２９よりも薄くて弾性的な壁部分３０が設けられている。この壁部分３０はそれぞれ１つの伸縮折り目３１を介して厚肉な壁部分２９に結合されており、これにより弾性率が著しく高められる。厚肉な壁部分２９の外側には、半径方向に向けられた各１つの条片３２が設けられている。
【００３７】
図１２には、図１１に示したプロファイルバンド２８が伸長されて、器具３にループ状に被せ嵌められた状態で、極めて弱い円弧形状を成している様子が示されている。この場合、プロファイルバンド２８の条片３２は器具３の端面を抱き締めるように取り囲んでいる。それと同時に、プロファイルバンド２８は器具３の周壁４の方向で伸縮折り目３１のこぶ状突起３３を介して支持されており、この場合、真ん中の壁部分３０は一種の弾性的なブリッジの形で器具壁に跨っており、これにより付加的な緩衝作用が得られる。
【００３８】
図１３には、図１に示した保護カバーと類似した保護カバー１を備えた器具３が示されている。図１３に示した実施例では、保護カバー１の上面に面ファスナ部分３５が配置されている。この面ファスナ部分３５は保持装置３７に設けられた別の面ファスナ部分３６と協働する。保持装置３７は鉛直方向の固定用壁３８と、面ファスナ部分３６を有する水平方向の保持壁３９とから成っている。面ファスナ部分３５，３６の代わりに、相応する磁石部分、つまり互いに逆向きの磁極向きを有する２つの磁石か、またはたとえば保持壁に設けられた１つの磁石と、保護カバーに設けられた強磁性部分とが設けられていてもよい。
【００３９】
図１４に示した実施例は、図１に示した保護カバー１と同様の保護カバー４０である。この保護カバーは、あたかもこの保護カバーが伸長された状態で器具（図示しない）を取り囲んでいるが如く図示されている。この場合、ループ縁部はそれぞれ前後で器具に小幅のフレーム６として被せられており、この場合、裏側では２つの横方向背面バンド４１と１つの長手方向背面バンド４２とが、フレーム６を形成する互いに向かい合って位置する背面縁部を網状に互いに結合している。
【００４０】
図１５および図１６には、背面壁４４を介して裏側を閉鎖されている保護カバー４３が示されている。この保護カバー４３は一種のキャップもしくはシューズのように器具に被せられ、この場合、前縁部はフレーム６として器具フロントを同時に枠入れするように取り囲み、それに対して背面壁４４は器具の裏側に接触している。図１６から判るように、背面壁４４には複数の開口４５が設けられており、これらの開口４５は円形もしくは楕円形に描かれているが、その他のあらゆる形状およびその他のあらゆる向きを有していてもよく、たとえば長手方向、横方向または斜め方向もしくは対角線方向に向けられた楕円形のスリットとして形成されていてもよい。これらの開口４５により、背面壁４４の弾性率が高められると同時に、良好な保持作用および滑り止め作用が得られる。
【００４１】
図１７および図１８には、リングループとして、たとえば射出成形により一体に製作された保護カバー４６が示されている。この保護カバー４６は中央の比較的薄い、極めて弾性的な環状壁部分３０を有している。この環状壁部分３０の両端面には、半径方向内側に向けられた各１つの厚肉な端部隆起部２２が設けられている。これらの端部隆起部２２には、半径方向に向けられたニップル（乳首）状の突起（以降、「ニップル状突起４７，４８」と呼ぶ）が設けられている。これらのニップル状突起４７，４８は端部隆起部２２とほぼ同じ材料厚さを有している。図示の実施例では、３つのニップル状突起４７が設けられており、これらのニップル状突起４７は、保護カバーが器具３に被せ嵌められた状態で（図２２参照）、器具３のディスプレイ５０に対して対称的に配置されている。
【００４２】
図１９には、緊張されていない状態の保護カバー４６の一部が図示されている。この場合、保護カバー４６に設けられたニップル状突起４７は三角形の形状を有している。それに対して図２０に示したニップル状突起４８は円弧形状を有している。このニップル状突起４８はさらに、たとえば横方向バンドを有利には器具裏側に掛け込むための孔４９を有している。
【００４３】
図２１には、図１９に示した保護カバー４６が、緊張させられた状態で図示されている。ニップル状突起４７が中央の環状壁部分３０よりも厚肉に形成されていることにより、この区分は環状壁部分３０よりも低い弾性率を有しており、端面側にはこぶ状の膨隆部５１が生ぜしめられ、このこぶ状の膨隆部５１により付加的な保護が提供される。
【００４４】
さらに図２２には、保護カバー４６が、伸長されて器具３に被せ嵌められた状態が図示されている。この場合、図１７にも示した３つのニップル状突起４７，４８が配置されており、この場合、これらのニップル状突起４７，４８は３辺でディスプレイ５０を取り囲んでいて、このディスプレイ５０を特にこぶ状の膨隆部５１によって付加的に保護している。
【図面の簡単な説明】
【００４５】
【図１】器具と、この器具を取り囲むように被せられた保護カバーとを示す斜視図である。
【００４６】
【図２】複数の貫通孔を備えたチューブリング構造のループの形の保護カバーを単独で示す斜視図である。
【００４７】
【図３】図２に示したループを製作するための半製品としてのチューブ部分を断面して示す斜視図である。
【００４８】
【図４】閉鎖装置を備えたプロファイルバンドから成る保護カバーを示す斜視図である。
【００４９】
【図５】複数の長手方向隆起部を備えたプロファイルバンドの横断面を示す部分的な斜視図である。
【００５０】
【図６】図５に示したプロファイルバンドを、ループの形で器具にスナップオン式に被せられた状態で示す断面図である。
【００５１】
【図７】端部隆起部を備えたベローズ構造のプロファイルバンドの横断面を示す部分的な斜視図である。
【００５２】
【図８】図７に示したプロファイルバンドを、ループの形で器具にスナップオン式に被せられた状態で示す断面図である。
【００５３】
【図９】真ん中の伸縮ゾーンと半円形の端部隆起部とを備えた構造のプロファイルバンドを示す横断面図である。
【００５４】
【図１０】図９に示したプロファイルバンドを、ループの形で器具にスナップオン式に被せられた状態で示す断面図である。
【００５５】
【図１１】２つの伸縮折り目と、内方に向けられた接触条片とを備えた構造のプロファイルバンドを示す横断面図である。
【００５６】
【図１２】図１１に示したプロファイルバンドを、ループの形で器具にスナップオン式に被せられた状態で示す断面図である。
【００５７】
【図１３】保持装置における面ファスナ固定部を備えた保護カバーを備えた器具を示す部分的な斜視図である。
【００５８】
【図１４】背面バンドを備えた構造の保護カバーを示す斜視図である。
【００５９】
【図１５】背面壁を備えた保護カバーが器具に被せ嵌められた状態を示す縦断面図である。
【００６０】
【図１６】背面壁に複数の開口を有する、図１５に示した保護カバーを示す斜視図である。
【００６１】
【図１７】ニップル状突起を備えたリングループの形の保護カバーを示す正面図である。
【００６２】
【図１８】図１７に示した保護カバーをＸＶＩＩＩ−ＸＶＩＩＩ線に沿って断面した軸方向の断面図である。
【００６３】
【図１９】三角形のニップル状突起を有する、図１７のＸＩＸ部分の拡大図である。
【００６４】
【図２０】円弧状のニップル状突起を有する、図１９と同様の拡大図である。
【００６５】
【図２１】図１９と同様の三角形のニップル状突起を有する部分を、保護カバーが緊張させられた状態で示す図である。
【００６６】
【図２２】器具ディスプレイに隣接した３つのニップル状突起を備えた保護カバーを、器具に被せ嵌められた状態で示す斜視図である。
【符号の説明】
【００６７】
１  保護カバー
２  ループ
３  器具
４  周壁
５  端面壁
６  フレーム
７  貫通孔
８  接続エレメント
９  チューブ
１０  ループリング
１１  プロファイルバンド
１２  結合片
１３  スナップファスナ
１４  孔
１５  プロファイルバンド
１６  長手方向隆起部
１７  端部条片
１８  端面縁部
２０  プロファイルバンド
２１  ベローズ
２２  端部隆起部
２３  プロファイルバンド
２４  壁
２５  伸縮ゾーン
２６  長手方向隆起部
２７  長手方向中空室
２８  プロファイルバンド
２９  壁部分
３０  壁部分
３１  伸縮折り目
３２  条片
３３  こぶ状突起
３５  面ファスナ部分
３６  面ファスナ部分
３７  保持装置
３８  固定用壁
３９  保持壁
４０  保護カバー
４１  横方向背面バンド
４２  長手方向背面バンド
４３  保護カバー
４４  背面壁
４５  開口
４６  保護カバー
４７  ニップル状突起
４８  ニップル状突起
４９  孔
５０  ディスプレイ
５１  膨隆部
【図１】
2005509353.tif 000003
【図２】
2005509353.tif 000004
【図３】
2005509353.tif 000005
【図４】
2005509353.tif 000006
【図５】
2005509353.tif 000007
【図６】
2005509353.tif 000008
【図７】
2005509353.tif 000009
【図８】
2005509353.tif 000010
【図９】
2005509353.tif 000011
【図１０】
2005509353.tif 000012
【図１１】
2005509353.tif 000013
【図１２】
2005509353.tif 000014
【図１３】
2005509353.tif 000015
【図１４】
2005509353.tif 000016
【図１５】
2005509353.tif 000017
【図１６】
2005509353.tif 000018
【図１７】
2005509353.tif 000019
【図１８】
2005509353.tif 000020
【図１９】
2005509353.tif 000021
【図２０】
2005509353.tif 000022
【図２１】
2005509353.tif 000023
【図２２】
2005509353.tif 000024
【国際調査報告】
2005509353.tif 000025
2005509353.tif 000026
2005509353.tif 000027
2005509353.tif 000028
2005509353.tif 000029
2005509353.tif 000030
2005509353.tif 000031
2005509353.tif 000032
2005509353.tif 000033
2005509353.tif 000034